(57)【要約】【課題】貴重品やお金を他人に分からないように収納する物品収納箱を提供すること。【解決手段】凹部１３を有して有底状に形成した第１の箱状部材１０と、凹部２３を有して有底状に形成した第２の箱状部材２０と、をそれぞれの背部において延着部材３で連結して開閉可能な擬似ビデオテープ型物品収納箱１を構成する。第１の箱状部１０と第２の箱状部材２０とを閉じた状態で、第１の箱状部材１０に回動可能に配設した回動側板３０を閉じてロックする。ロック機構は、第２の箱状部材２０の天井壁部２１形成した凹状溝２１１の爪受け部と、前記爪受け部に係合可能に配置するとともに回動側板３０に形成したロック板の爪部とを有して構成する。【選択図】図１
0003112884.tif 000002
【実用新案登録請求の範囲】
【請求項１】
開閉可能に構成されてビデオテープ型ケースを擬似する物品収納箱であって、
底壁部と前記底壁部から立ち上がる４側壁部を有して凹状に形成される第１の箱状部材と、天井壁部と前記天井壁部から一側壁部を除いて立ち上がる３側壁部を有して凹状に形成される第２の箱状部材と、前記第１の箱状部材の側面に一端が回動可能に配設されるとともに前記第２の箱状部材の一開口部側と対向する位置に移動可能に配設された回動側壁部と、を備え、
前記第１の箱状部材と前記第２の箱状部材とは、それぞれの凹状部が対向することによって物品収納部を形成するとともに前記物品収納部の位置に移動できるように開閉手段で開閉可能に連結され、
前記第１の箱状部材と前記第２の箱状部材とは、前記第１の箱状部材と前記第２の箱状部材とが閉じた位置においてロック手段でロック可能に構成されることを特徴とする物品収納箱。
【請求項２】
前記開閉手段が、前記第１の箱状部材と前記第２の箱状部材の一側壁部どうしを粘着する粘着手段であることを特徴とする請求項１記載の物品収納箱。
【請求項３】
前記ロック手段が、いずれか一方の箱状部材に係止部を形成し、他方の箱状部材に前記係止部と係合可能な被係止部を形成していることを特徴とする請求項１又は２記載の物品収納箱。
【請求項４】
前記第１の箱状部材と前記第２の箱状部材とが、閉じた状態から開放した状態に回動する際に、防犯ブザーが発音することを特徴とする請求項１，２，又は３のいずれかに記載の物品収納箱。
【請求項５】
前記物品収納部にはクッション部材が配設されていることを特徴とする請求項１，２，３又は４のいずれかに記載の物品収納箱。
【請求項６】
前記第１の箱状部材又は前記第２の箱状部材のいずれか側壁部にビデオデッキへの入力防止手段が配設されていることを特徴とする請求項１，２，３，４又は５のいずれかに記載の物品収納箱。
【請求項７】
開閉可能に構成されてカセットテープ型ケースを擬似する物品収納箱であって、
底壁部と前記底壁部から立ち上がる４側壁部を有して凹状に形成される第１の箱状部材と、天井部と前記天井部から一側壁部を除いて立ち上がる３側壁部を有して凹状に形成される第２の箱状部材と、前記第１の箱状部材の側面に一端が回動可能に配設されるとともに前記第２の箱状部材の一開口部側と対向する位置に移動可能に配設された回動側壁部と、を備え、
前記第１の箱状部材と前記第２の箱状部材とは、それぞれの凹状部が対向することによって物品収納部を形成するとともに前記物品収納部の位置に移動できるように開閉手段で開閉可能に連結され、
前記第１の箱状部材と前記第２の箱状部材とは、前記第１の箱状部材と前記第２の箱状部材とが閉じた位置においてロック手段でロック可能に構成されることを特徴とする物品収納箱。
【請求項８】
前記開閉手段が、前記第１の箱状部材と前記第２の箱状部材の一側壁部どうしを粘着する粘着手段であることを特徴とする請求項７記載の物品収納箱。
【請求項９】
前記ロック手段が、いずれか一方の箱状部材に係止部を形成し、他方の箱状部材に前記係止部と係合可能な被係止部を形成していることを特徴とする請求項７又は８記載の物品収納箱。
【請求項１０】
前記第１の箱状部材と前記第２の箱状部材とが、閉じた状態から開放した状態に回動する際に、防犯ブザーが発音することを特徴とする請求項７，８，又は９のいずれかに記載の物品収納箱。
【請求項１１】
前記物品収納部にはクッション部材が配設されていることを特徴とする請求項７，８，９又は１０のいずれかに記載の物品収納箱。
【請求項１２】
前記第１の箱状部材又は前記第２の箱状部材のいずれか側壁部にカセットデッキへの入力防止手段が配設されていることを特徴とする請求項７，８，９，１０又は１１のいずれかに記載の物品収納箱。                                                                               
【考案の詳細な説明】
【技術分野】
【０００１】
本考案は、ビデオテープの収納場所又はカセットテープ収納場所にビデオテープ又はカセットテープと並列して配置する物品収納箱に関する。
【背景技術】
【０００２】
一般に、紙幣や宝石類等の貴重品は金庫に収納して保管される。金庫が盗難される虞があると、貴重品は、発見できにくい場所に隠したりする。従来、貴重品を隠す有効な場所として、本を擬似した物品収納箱が知られていた。通常、本は本棚に並べられていることから、本棚に並べられている物品収納箱が、他の本と相違していることが認識できずに見過ごされる場合が多く、有効な手段として使用されていた。
【０００３】
なお、本を擬似した物品収納箱に関する特許文献は発見されなかった。
【考案の開示】
【考案が解決しようとする課題】
【０００４】
しかし、貴重品を収納する物品収納箱として本を擬似する場合、一般の本にはタイトル名が印刷されていることから、手書きで記入したタイトル名は他の本と相違することが明らかであるばかりでなく、並列されている本郡を斜め上方から見ると、一般の本は数１０ページ〜数１００ページの枚数からなるものが、擬似本の場合には、箱状に形成されることによって相違点を見出すことができる。また、擬似本を本物の本に極めて酷似させると、第三者が見過ごすばかりでなく本人自身も忘れてしまうケースが多かった。
【課題を解決するための手段】
【０００５】
本考案は、上述の課題を解決するものであり、本物のビデオテープやカセットテープと並列させていても、第三者には区別することが困難であり、しかも本人自身が擬似テープであることを認識できる物品収納箱を提供することを目的とするものであり、そのために本考案に係る物品収納箱は、以下のように構成するものである。すなわち、
請求項１記載の考案では、開閉可能に構成されてビデオテープ型ケースを擬似する物品収納箱であって、
底壁部と前記底壁部から立ち上がる４側壁部を有して凹状に形成される第１の箱状部材と、天井壁部と前記天井壁部から一側壁部を除いて立ち上がる３側壁部を有して凹状に形成される第２の箱状部材と、前記第１の箱状部材の側面に一端が回動可能に配設されるとともに前記第２の箱状部材の一開口部側と対向する位置に移動可能に配設された回動側壁部と、を備え、
前記第１の箱状部材と前記第２の箱状部材とは、それぞれの凹状部が対向することによって物品収納部を形成するとともに前記物品収納部の位置に移動できるように開閉手段で開閉可能に連結され、
前記第１の箱状部材と前記第２の箱状部材とは、前記第１の箱状部材と前記第２の箱状部材とが閉じた位置においてロック手段でロック可能に構成されることを特徴とするものである。
【０００６】
請求項２記載の考案では、前記開閉手段が、前記第１の箱状部材と前記第２の箱状部材の一側壁部どうしを粘着する粘着手段であることを特徴としている。
【０００７】
請求項３記載の考案では、前記ロック手段が、いずれか一方の箱状部材に係止部を形成し、他方の箱状部材に前記係止部と係合可能な被係止部を形成していることを特徴としている。
【０００８】
請求項４記載の考案では、前記第１の箱状部材と前記第２の箱状部材とが、閉じた状態から開放した状態に回動する際に、防犯ブザーが発音することを特徴としている。
【０００９】
請求項５記載の考案では、前記物品収納部にはクッション部材が配設されていることを特徴としている。
【００１０】
請求項６記載の考案では、前記第１の箱状部材又は前記第２の箱状部材のいずれか側壁部にビデオデッキへの入力防止手段が配設されていることを特徴としている。
【００１１】
請求項７記載の考案では、開閉可能に構成されてカセットテープ型ケースを擬似する物品収納箱であって、
底壁部と前記底壁部から立ち上がる４側壁部を有して凹状に形成される第１の箱状部材と、天井部と前記天井部から一側壁部を除いて立ち上がる３側壁部を有して凹状に形成される第２の箱状部材と、前記第１の箱状部材の側面に一端が回動可能に配設されるとともに前記第２の箱状部材の一開口部側と対向する位置に移動可能に配設された回動側壁部と、を備え、
前記第１の箱状部材と前記第２の箱状部材とは、それぞれの凹状部が対向することによって物品収納部を形成するとともに前記物品収納部の位置に移動できるように開閉手段で開閉可能に連結され、
前記第１の箱状部材と前記第２の箱状部材とは、前記第１の箱状部材と前記第２の箱状部材とが閉じた位置においてロック手段でロック可能に構成されることを特徴とするものである。
【００１２】
請求項８記載の考案では、前記開閉手段が、前記第１の箱状部材と前記第２の箱状部材の一側壁部どうしを粘着する粘着手段であることを特徴としている。
【００１３】
請求項９記載の考案では、前記ロック手段が、いずれか一方の箱状部材に係止部を形成し、他方の箱状部材に前記係止部と係合可能な被係止部を形成していることを特徴としている。
【００１４】
請求項１０記載の考案では、前記第１の箱状部材と前記第２の箱状部材とが、閉じた状態から開放した状態に回動する際に、防犯ブザーが発音することを特徴としている。
【００１５】
請求項１１記載の考案では、前記物品収納部にはクッション部材が配設されていることを特徴としている。
【００１６】
請求項１２記載の考案では、前記第１の箱状部材又は前記第２の箱状部材のいずれか側壁部にカセットデッキの入力防止手段が配設されていることを特徴としている。
【考案の効果】
【００１７】
本考案に係る物品収納箱は、請求項１記載の考案によれば、ビデオテープのケースを擬似して構成することから、本物のビデオテープと並列して配置していても、第三者から見ても、物品収納箱とは認識できにくい。つまり、ビデオテープを擬似した物品収納箱が、開閉可能に構成したことが本物のビデオテープと相違するだけであるから、表面上は、どこから見ても本物のビデオテープと同一に見える。また、本考案の物品収納箱は第１の箱状部材と第２の箱状部材を閉じたときにロック機構でロックすることから、中身を紛失することがない。しかも、ビデオテープのタイトルは、すべて手書きであることから、第三者に判らないように自身で認識できるタイトル名に記載することを容易に行うことができる。
【００１８】
請求項２記載の考案によれば、第１の箱状部材と第２の箱状部材を粘着手段で開閉可能に連結すれば、粘着手段（例えば、ガムテープ）は弾性状に形成されていることによって、折り畳むことは容易であり、しかも、タイトル名を書くこともできる。従って、簡単で廉価に構成することができる。
【００１９】
請求項３記載の考案によれば、第１の箱状部材と第２の箱状部材とのロック機構を、ワンタッチで着脱できるように構成していることから、物品収納部に貴重品やその他の物品を収納したり取り出したりする作業を容易に行うことができる。
【００２０】
請求項４記載の考案によれば、たとえ第三者がこの考案の物品収納箱を取り出そうとしても、第１の箱状部材と第２の箱状部材とをあけることによって防犯ブザーが鳴ることから、第三者が驚愕するとともに物品収納箱を持ち出そうとしていることが即座に判断できる。
【００２１】
請求項５記載の考案によれば、物品収納箱に収納する物品が壊れやすいものや傷つけやすいものであっても、内部に収納されているクッション材で物品を保護することができる。
【００２２】
請求項６記載の考案によれば、本考案の擬似ビデオテープ型の物品収納箱をビデオテープのデッキに挿入しようとしても、入力防止手段によってデッキへの挿入ができない。従って、間違って挿入してデッキを破損する虞はない。
【００２３】
請求項７乃至１２考案は、上述の請求項１乃至６の考案におけるビデオテープをカセットテープに代えたものであるから、それぞれの考案の効果は、請求項１乃至６と同様である。
【考案を実施するための最良の形態】
【００２４】
次に、本考案の物品収納箱の一形態を図面に基づいて説明する。以下に説明する物品収納箱は、ビデオテープを擬似したものであり、外観上の大きさも、市販のビデオテープと同様である。
【００２５】
図１〜２に示すように、物品収納箱１は、中空部を有する一対の箱状部材（第１の箱状部材１０、第２の箱状部材２０）と第１の箱状部材１０の一側壁部に重なるとともに回動可能な回動側板３０とを有して構成されている。
【００２６】
第１の箱状部材１０は、底壁部１１と底壁部１１の四辺から立ち上がる側壁部１２とを備え、内部を中空状（以下、凹部１３という。）に形成している。側壁部１２は、長尺方向に配置される第１側壁部１２１、第２側壁部１２２と短尺方向に配置される第３側壁部１２３、第４側壁部１２４とからなり、第１側壁部１２１側に第２の箱状部材２０が開閉可能に接続されている。
【００２７】
第２側壁部１２４は第１側壁部１２１の略倍の高さに形成され、第３側壁部１２３と第４側壁部１２４は第１側壁部１２１と同一高さに形成され、第１側壁部１２１と第３側壁部１２３及び第４側壁部１２４は、連接して形成されている。また、第２側壁部１２２には長手方向の略中央部に内方に突出する断面矩形筒状の突出壁部１２５が形成され、突出壁部１２５の高さは第２側壁部１２１より低く形成されている。
【００２８】
短尺方向に配置されている第３側壁部１２３と第４側壁部１２４の中央部内側には、第２の箱状部材２０が閉じたときに第２の箱状部材２０の側壁部をガイドするガイド板１２６、１２６が配置されるとともに、第３側壁部１２３と第４側壁部１２４の第２側壁部１２２側端部には、回動側板３０の一端を回動可能に支持する支持部１２７、１２７が形成されている。
【００２９】
第２の箱状部材２０は、天井壁部２１と天井壁部２１の三辺から立ち上がる側壁部２２とを備え、内部を中空状（以下、凹部２３という。）に形成している。側壁部２２は、長尺方向に配置される第１側壁部２２１と短尺方向に配置される第２側壁部２２３、第３側壁部２２４とからなり、第１側壁部２２１と対向する側壁部は開口部２２２として形成されている。
【００３０】
図３〜４に示すように、天井壁部２１の開口部２２２側の側端部には端部から中央部側に延設する凹溝部２１１が形成され凹溝部２１１の裏面部は、天井壁部２１の裏面より突出して形成されている。さらに、凹溝部２１１の端部には、切欠き部２１２を形成し、凹溝部２１１には切欠き部２１２に隣接して断面三角状の爪受け部２１３が形成されている。
【００３１】
回動側板３０は、図５に示すように、Ｌ字状の本体部３１と本体部３１の長手方向両端部に配置される回動支持板３２、３２と本体部３１の長手方向の略中央部に配置されるロック板３３とを有している。回動支持板３２にはそれぞれピン部３２１が配置され、それぞれのピン部３２１が第１の箱状部材１０の第３側壁部１２３、第４側壁部１２４の支持部１２７に軸支されている。また、ロック板３３は、長尺板状に形成されるとともに、本体部３１の中央部で内方に突出する突出部３４上に一端が固着され内方に向かって延設されている。ロック板３３の裏面側には、第２の箱状部材２０の天井壁部２１に形成された断面逆三角状の爪受け部２１３と係止可能な爪部３３１を有している。なお、本体部３１は第１の箱状部材１０の第２側壁部１２２と外面から重なる位置に回動されるとともに、第２の箱状部材２０を閉じたときに開口部２２２となる位置に回動される。
【００３２】
第１の箱状部材１０の凹部１３と第２の箱状部材２０の凹部２３とを付き合わせるとともに、図６に示すように、第１の箱状部材１０の第１側壁部１２１と第２の箱状部材の第１側壁部２２１とを隣接させた状態で、その背面どうしを粘着部材（例えば、ガムテープ）３で粘着して連結することによって物品収納箱１を構成することができる。この際、第１側壁部１２１と第２側壁部２２１の各背面には本物のビデオテープケースと同様、粘着部材３を粘着するためのわずかな深さの凹部１２１ａ、２２１ａを形成しておくことが望ましい。
【００３３】
粘着部材３は弾性を有していることから、粘着部材３の中央部で折り曲げても支障なく第２の箱状部材１０を第１の箱状部材２０に対して開閉することができる。そして、第１の箱状部材１０の凹部１３と第２の箱状部材２０の凹部２３が合わせられて物品収納部１５を形成することとなる。
【００３４】
なお、粘着部材３は、ガムテープでなく粘着部材３の代わりに、タイトル名を記入可能な市販のシール部材でもよく、また、第１の箱状部材１０と第２の箱状部材２０とを蝶板で連結して開閉可能に構成させてもよい。また、第１の箱状部材１０の底壁部１１及び第２の箱状部材２０の天井壁部２０の表面を市販のビデオテープのケースと同一の模様に形成することが、外観上同一に見えるために望ましい。
【００３５】
次に、上記のように構成された物品収納箱１の作用について説明する。図１のように、第１の箱状部材１０を第２の箱状部材２０に対して開いた状態で、貴重品や紙幣、小銭、あるいはその他の小物物品を収納する。
【００３６】
物品を収納した後、図７に示すように、回動側板３０を第１の箱状部材１０に対して開いた状態のまま、第１の箱状部材１０を第２の箱状部材２０に対して回動させて閉じる。その後、図８に示すように、回動側板３０の本体部３１を第１の箱状部材１０の第２側壁部１２１に近づけるように回動させると、回動側板３０のロック板３３が、第２の箱状部材２０の凹溝部２１１上に移動し、回動側板３０の爪部３３１が第２の箱状部材２０の爪受け部２１３と対向する位置に移動する。さらに、回動側板３０を回動させると、爪部３３１が爪受け部２１３を乗り越えて爪部３３１と爪受け部２１３が係合し、第１の箱状部材１０と第２の箱状部材２０及び回動側板３０とがロック状態となる（図４参照）。
【００３７】
粘着部材３には、タイトル名を記入しておく。このタイトル名は、第三者には貴重品が収納されていることを気づかれずに、また本人自身が認識できるタイトル名、例えば「Ｈｅｓｏｋｕｒｉ」と記名する。
【００３８】
この状態で、図９に示すように、ビデオテープ収納箱あるいはビデオテープ整理棚に収納されている市販のビデオテープと並列して収納する。
【００３９】
上記のように、実施形態のビデオテープ型物品収納箱１によれば、ビデオテープを擬似したケースは、外観上、ビデオテープを想定することから、第三者が内部に貴重品や紙幣あるいは小銭が収納されていることが判別しにくい。また、この物品収納箱１を単体のビデオテープ収納ケースに収納して並列しておけばさらに判別しにくい。しかもタイトル名を、一般のビデオテープと同様、手書きで記名することができる。
【００４０】
なお、このビデオテープ型物品収納箱１には各種の細工をすることができる。
【００４１】
例えば、本人が寝ている間に、第三者が黙って物品収納箱１をあけて中身を持ち出すことを防止するために、物品収納箱１を開くと同時に、防犯ブザーを鳴らすようにしてもよい。この場合の防犯ブザーは、物品収納箱１を開くと電気的に作動するようにしてもよく、また、機械的に作動するように構成するものであってもよい。
【００４２】
また、物品収納部１５には、クッション材を挿入しておけば、クッション材が緩衝材となることから貴重品が傷ついたり破損したりすることを防止できる。
【００４３】
さらに、第１の箱状部材１０の第３側壁部１２３又は第４側壁部１２４、あるいは第２の箱状部材２の第３側壁部２２３又は第４側壁部２２４のずれかに、前記側壁部の内方から外方に向かって入出可能な弾性突起部が設けられていれば、ビデオテープ用デッキに本考案の物品収納箱１を挿入しようとしても、弾性突起部が干渉して挿入できない。
【００４４】
この弾性突起部の一例としては、例えば、図１０に示すように、第１の箱状部材１０の第３側壁部１２３（又は第４側壁部１２４、あるいは第２の箱状部材２の第３側壁部２２３又は第４側壁部２２４のずれか）の１箇所に、内方に向かって有底状の筒状収納部１２３ａを形成する。筒状収納部１２３ａには圧縮コイルばね１７の一端を固着し、圧縮コイルばね１７の他端に、自然状態で第３側壁部１２３上より突出して配置される入力防止部材１８を固着する。そして入力防止部材１８を手で押圧すると、入力防止部材１８は、第３側壁部１２３より内部に埋設することができる。例えば、この物品収納箱１を市販されている単一のビデオテープ収納ケースに収納して、他のビデオテープと並列させる場合には、入力防止部材１８を押圧して筒状収納部１２３ａ内に埋設する。収納ケースを外せば、入力防止部材１８が第３側壁部１２３から突出することから、そのまま、ビデオテープ用デッキに挿入しようとしても、入力防止部材１８が干渉して挿入することができない。従って、物品収納箱１を間違ってビデオテープ用デッキに挿入して、デッキを損傷させることを防止することができる。勿論、デッキに挿入防止する入力防止装置は、図１０に限るものではなく、同様に作用されるものであれば、他の構成でもよい。
【図面の簡単な説明】
【００４５】
【図１】本考案の一形態を示す擬似ビデオテープ型物品収納箱の全体斜視図である。
【図２】図１における中央断面図である。
【図３】図１における平面図である。
【図４】図２における一部拡大断面図である。
【図５】同一部を示す分解斜視図である。
【図６】図１の物品収納箱の背部を示す側面図である。
【図７】図１の物品収納箱の閉じる作用を示す第１の作用図である。
【図８】図１の物品収納箱の閉じる作用を示す第２の作用図である。
【図９】物品収納箱を他のビデオテープと並列させた状態を示す正面図である。
【図１０】図１の物品収納箱にデッキへの入力防止装置を装着した断面図である。
【符号の説明】
【００４６】
１、物品収納箱
３、粘着部材
１０、第１の箱状部材
１１、底壁部
１２、側壁部
１３、凹部
１５、物品収納部
２０、第２の箱状部材
２１、天井部
２１３、爪受け部
２２、側壁部
２３、凹部
３０、回動側板
３３、ロック板
３３１、爪部
【図１】
0003112884.tif 000003
【図２】
0003112884.tif 000004
【図３】
0003112884.tif 000005
【図４】
0003112884.tif 000006
【図５】
0003112884.tif 000007
【図６】
0003112884.tif 000008
【図７】
0003112884.tif 000009
【図８】
0003112884.tif 000010
【図９】
0003112884.tif 000011
【図１０】
0003112884.tif 000012